【手続補正書】
【提出日】平成18年11月2日(2006.11.2)
【手続補正１】
【補正対象書類名】明細書
【補正対象項目名】発明の名称
【補正方法】変更
【補正の内容】
【発明の名称】レンズ鏡筒及びレンズ鏡筒調整方法
【手続補正２】
【補正対象書類名】明細書
【補正対象項目名】特許請求の範囲
【補正方法】変更
【補正の内容】
【特許請求の範囲】
【請求項１】  固定レンズ群及び可動レンズ群よりなる複数のレンズ群からなる光学系が光軸上に沿って鏡筒部内に配設されているレンズ鏡筒において、
上記固定レンズ群を保持しているレンズホルダーと、
上記レンズホルダーの一端部が上記鏡筒部に支持されるようにした位置決め部と、
上記位置決め部に隣接し上記レンズホルダーの一部を撓み可能の薄肉状にされているヒンジ部と、
上記ヒンジ部から離れたレンズホルダー部分に形成された倒れ調整溝と、上記鏡筒部に回転可能に支持され上記倒れ調整溝に係合される偏心軸を有する倒れ調整ねじ部とよりなる倒れ調整機構と、
を備え、上記倒れ調整機構は、上記鏡筒部の外側から上記倒れ調整ねじ部の回転操作により上記偏心軸の偏心動作に伴って上記倒れ調整溝を介して上記レンズホルダーを上記ヒンジ部を支点にして撓ませ、光軸に対して上記固定レンズ群の倒れを調整するようにしたことを特徴とするレンズ鏡筒。
【請求項２】  請求項１記載のレンズ鏡筒において、
上記倒れ調整ねじ部は、上記鏡筒部にリブ状突起により嵌合され回転可能にされていることを特徴とするレンズ鏡筒。
【請求項３】  請求項１記載のレンズ鏡筒において、
上記倒れ調整ねじ部は、板ばねにより保持され回転可能にされていることを特徴とするレンズ鏡筒。
【請求項４】  請求項１記載のレンズ鏡筒において、
上記倒れ調整ねじ部は、板ばねにより保持されクリック式に回転可能にされていることを特徴とするレンズ鏡筒。
【請求項５】  請求項１記載のレンズ鏡筒において、
ビデオカメラ装置やデジタルスチルカメラ装置の光学系に適用されることを特徴とするレンズ鏡筒。
【請求項６】  少なくとも固定レンズ群を有する光学系が光軸上に沿って配設された鏡筒部の外側から倒れ調整ねじ部を回転操作して偏心軸を偏心動作させることにより、上記固定レンズ群を保持しているレンズホルダーに設けた倒れ調整溝を介して当該レンズホルダーに設けた位置決め部に隣接されている撓み可能なヒンジ部を支点にして撓ませ、上記光軸に対して上記固定レンズ群の倒れを調整するようにしたことを特徴とするレンズ鏡筒調整方法。
【手続補正３】
【補正対象書類名】明細書
【補正対象項目名】０００１
【補正方法】変更
【補正の内容】
【０００１】
【発明の属する技術分野】
本発明は、ビデオカメラあるいはデジタルスチルカメラ等に使用されて好適なレンズ鏡筒及びレンズ鏡筒調整方法に関し、詳しくは、レンズ鏡筒の外側から調整ねじを回転操作することによって、レンズホルダーの位置を可変し光軸に対してレンズ群の倒れを調整するようにしたものである。
【手続補正４】
【補正対象書類名】明細書
【補正対象項目名】０００６
【補正方法】変更
【補正の内容】
【０００６】
本発明は、上述したような課題を解消するためになされたもので、鏡筒に光学レンズを有するメカ機構部を組付けた後から、鏡筒の外部より光軸に対するレンズ玉の倒れを容易に調整することのできるレンズ鏡筒及びそのレンズ鏡筒の調整方法を得ることを目的とする。
【手続補正５】
【補正対象書類名】明細書
【補正対象項目名】０００７
【補正方法】変更
【補正の内容】
【０００７】
【課題を解決するための手段】
上述の目的を達成するため、本発明によるレンズ鏡筒は、固定レンズ群を保持するレンズホルダーと、レンズホルダーの一端部が鏡筒部に支持されるようにした位置決め部と、位置決め部に隣接しレンズホルダーの一部が薄肉状にされているヒンジ部と、ヒンジ部から離れたレンズホルダー部分に形成された倒れ調整溝と鏡筒部に回転可能に支持され倒れ調整溝に係合される偏心軸を有する倒れ調整ねじ部とよりなる倒れ調整機構とから構成したものである。
また、本発明によるレンズ鏡筒調整方法は、少なくとも固定レンズ群を有する光学系が光軸上に沿って配設された鏡筒部の外側から倒れ調整ねじ部を回転操作して偏心軸を偏心動作させることにより、上記固定レンズ群を保持しているレンズホルダーに設けた倒れ調整溝を介して当該レンズホルダーに設けた位置決め部に隣接されている撓み可能なヒンジ部を支点にして撓ませ、上記光軸に対して上記固定レンズ群の倒れを調整するようにしたことを特徴とする。
【手続補正６】
【補正対象書類名】明細書
【補正対象項目名】０００８
【補正方法】変更
【補正の内容】
【０００８】
上述したレンズ鏡筒及びレンズ鏡筒調整方法によれば、鏡筒に光学レンズを有するメカ機構部を組付けた後、鏡筒部の外側から倒れ調整ねじ部を回転操作することにより、偏心軸の偏心動作に伴って倒れ調整溝と共にレンズホルダーが薄肉状のヒンジ部を支点にして撓み、光軸に対して固定レンズ群の倒れを調整することができる。
【手続補正７】
【補正対象書類名】明細書
【補正対象項目名】００１７
【補正方法】変更
【補正の内容】
【００１７】
一方、レンズホルダー１１の保持部１２とレンズ部分を挟んだ反対側の他側部下方にはアーム板１６が後方側へ延出するようにして一体成形され、このアーム板１６の先端部に開口した軸孔１７を上述した他方のガイド軸１０ｂに貫通され摺動可能に保持されている。この軸孔１７の開口縁は球面状縁１７ａにしてガイド軸１０ｂに対して摩擦を小さくして滑り易くしている。
【手続補正８】
【補正対象書類名】明細書
【補正対象項目名】００３０
【補正方法】変更
【補正の内容】
【００３０】
また、さらに別の実施形態として図８Ａ、図８Ｂに示すように、倒れ調整ねじ２０のねじ頭部に放射状の凹凸面２７と、ねじ頭部の中心にドライバー等により回転可能の凸面状のねじ溝２８を形成し、鏡筒部５にカシメ軸２９により固定した板ばね３０の二股部３０ａ，３０ａに設けた突起３１，３１で凹凸面２７を抑えるようにしたものである。このように構成したことで、倒れ調整ねじ２０がクリック式に回転できるようになり、微妙な調整量の動作を的確に行うことができる。
【手続補正９】
【補正対象書類名】明細書
【補正対象項目名】００３１
【補正方法】変更
【補正の内容】
【００３１】
図９には、本発明の先行技術となる偏心軸を使用しない倒れ調整機構の実施形態の例を示し、図２と同一構成部分には同じ符号を付して説明する。
【手続補正１０】
【補正対象書類名】明細書
【補正対象項目名】００３２
【補正方法】変更
【補正の内容】
【００３２】
この倒れ調整機構は、レンズホルダー１１から一体に鏡筒部５の外側へフレーム３２を延出し、このフレーム３２の一面は鏡筒部５に設けたリブ５ａとの間に押しばね３３を張設する。また、鏡筒部５に設けたリブ５ｂに調整ねじ３４をねじ止めし、調整ねじ３４の先端をフレーム３２の他面に押し当てるようにしたものである。
【手続補正１１】
【補正対象書類名】明細書
【補正対象項目名】００３８
【補正方法】変更
【補正の内容】
【００３８】
【発明の効果】
以上説明したように、本発明によるレンズ鏡筒及びレンズ鏡筒調整方法によれば、レンズホルダーの一端部が鏡筒部に支持されるようにした位置決め部と、位置決め部に隣接しレンズホルダーの一部が薄肉状にされているヒンジ部と、ヒンジぶから離れたレンズホルダー部分に形成された倒れ調整溝と鏡筒部に回転可能に支持され倒れ調整溝に係合される偏心軸を有する倒れ調整ねじ部とよりなる倒れ調整機構とから構成したので、鏡筒部内へそれぞれの各レンズ群が組付けられた後に鏡筒外から倒れ調整ねじ部の回転操作によって、レンズの倒れを容易に調整することができる。このことから、レンズ鏡筒の量産時の不良の修理回復が可能となり製品の歩留まりが向上できる。また、倒れ調整機構として小部品を追加するだけでよく、小さなスペースで済むためレンズ鏡筒の小型化の妨げもなく、かつコストアップも殆ど生じない。